(57)【要約】【課題】ベースキャビネットと洗面ボウルを一体的に形成することで継ぎ目による水垢の付着やカビの発生を予防することのできる手入れの容易な洗面化粧台を提供することをその課題とする。【解決手段】洗面ボウル６と該洗面ボウル６下方に位置するベースキャビネット２が一体的に成形されていることを特徴とする洗面化粧台。好ましくは、洗面ボウル６の上方背面部に背板部７を有する配管収納部１０が設けられ、洗面ボウル６とベースキャビネット２および必要に応じて設けられた配管収納部１０が所定の樹脂で一体的に形成されていることを特徴とし、該所定の樹脂がポリノルボルネン系樹脂である洗面化粧台。【選択図】図１
2009011649.tif 000002
【特許請求の範囲】
【請求項１】
洗面ボウルと該洗面ボウル下方に位置するベースキャビネットが一体的に成形されていることを特徴とする洗面化粧台。
【請求項２】
洗面化粧台の洗面ボウルの上方背面部に背板部を有する配管収納部が設けられていることを特徴とする請求項１記載の洗面化粧台。
【請求項３】
洗面ボウルとベースキャビネットおよび必要に応じて設けられた配管収納部が所定の樹脂で一体的に形成されていることを特徴とする請求項１および請求項２いずれか記載の洗面化粧台。
【請求項４】
所定の樹脂がポリノルボルネン系樹脂であることを特徴とする請求項３記載の洗面化粧台。
【請求項５】
洗面ボウルとベースキャビネットおよび必要に応じて設けられた配管収納部が一対の金型間のキャビティにノルボルネン系モノマーを注入し、反応射出成形によりポリノボルネン系樹脂としたことを特徴とした請求項１ないし４いずれか記載の洗面化粧台。
【請求項６】
洗面ボウルとベースキャビネットおよび必要に応じて設けられた配管収納部が各々所望の色に塗装されていることを特徴とする請求項１ないし５いずれか記載の洗面化粧台。
【発明の詳細な説明】
【技術分野】
【０００１】
本発明は洗面ボウルとその下方に位置する洗面ボウルを載置するベースキャビネットからなる洗面化粧台に関するものであり、特に屋内外に設置可能な一般家庭における洗面化粧台に関するものである。
【背景技術】
【０００２】
従来の一般家庭における洗面化粧台は洗面ボウルとその下方に位置するベースキャビネットが別体として形成され、現場において設置されたベースキャビネット上に洗面ボウルを載置して接続していた。特にベースキャビネットは木製キャビネットが多く、一方洗面ボウルは陶器や人口大理石で形成されていた。また洗面ボウルの上にミラーキャビネットが一体化された洗面化粧台が提案されている。
【特許文献１】特開２００３−２４２２４号公報（第４頁、第１図）
【発明の開示】
【発明が解決しようとする課題】
【０００３】
上記特許文献１における一体型洗面化粧台はミラー収納キャビネトと洗面ボウルおよび洗面ボウル下面のベースキャビネットからなっており、ミラーキャビネットと洗面ボウルが一体的に形成されているものである。しかし洗面ボウルの下方に位置するベースキャビネットは別体として分離形成されており、木製である以外特別な構成等は何も記載されていない。そのため屋外での使用は難しい。
【０００４】
一方洗面ボウルとベースキャビネットを別体として構成される従来の洗面化粧台は設置が容易で軽量化されるがベースキャビネットと洗面ボウルとの間に隙間が生じ、水垢が付着し易くカビが発生しやすいものである。本発明はこのベースキャビネットと洗面ボウルを樹脂にて一体的に成形するもので耐水性に優れ、ベースキャビネットと洗面ボウルとの間に継ぎ目が無く手入れが容易な洗面化粧台を提供することを課題とする。
【課題を解決するための手段】
【０００５】
上記課題を解決するために、本発明に係る洗面化粧台の第一の特徴構成は、請求項１に記載した如く、洗面ボウルと該洗面ボウル下方に位置するベースキャビネットが一体的に成形されている点にある。
【０００６】
同第二の特徴構成は、請求項２に記載した如く、第一の特徴構成に加えて、洗面化粧台の洗面ボウルの上方背面部に背板部を有する配管収納部を設けた点にある。
【０００７】
同第三の特徴構成は、請求項３に記載した如く、第一の特徴構成または第二の特徴構成のいずれかに加えて、洗面ボウルとベースキャビネットおよび必要に応じて設けられた配管収納部が所定の樹脂で一体的に形成されている点にある。
【０００８】
同第四の特徴構成は、請求項４に記載した如く、第一の特徴構成ないし第三の特徴構成のいずれかに加えて、所定の樹脂がポリノルボルネン系樹脂である点にある。
【０００９】
同第五の特徴構成は、請求項５に記載した如く、第一の特徴構成ないし第四の特徴構成のいずれかに加えて、洗面ボウルとベースキャビネットおよび必要に応じて設けられた配管収納部が一対の金型間のキャビティにノルボルネン系モノマーを注入し、反応射出成形によりポリノボルネン系樹脂とした点にある。
【００１０】
同第六の特徴構成は、請求項６に記載した如く、第一の特徴構成および第五の特徴構成のいずれかに加えて、洗面ボウルおよびベースキャビネットさらに必要に応じて設けられた配管収納部が各々所望の色に塗装されている点にある。
【発明の効果】
【００１１】
請求項１に記載の洗面化粧台は、前記構成であるから、全体が一体的に構成されており、設置が用意であり、継ぎ目がないから水垢が付着しカビ等の発生がなく手入れが楽にできる。したがって屋外での使用も可能である。
【００１２】
請求項２に記載の洗面化粧台は、前記構成であるから、請求項１の洗面化粧台が有する効果に加え配管収納部を利用して洗面ボウルの上方にカランを取り付けることが可能であり、水道と洗面ボウルの間に距離を採ることができ使い勝手を改善できる。
【００１３】
請求項３に記載の洗面化粧台は、前記構成であるから、請求項１ないし請求項２のいずれか記載の洗面化粧台が有する効果に加え、必要に応じて設けられた配管収納部が所定の樹脂で形成されている。すなわち洗面化粧台全体が一体に形成されている。そのため設置に際し接続等の作業を必要としないから容易に設置できる。
【００１４】
請求項４に記載の洗面化粧台は、前記構成であるから、請求項１ないし請求項３のいずれか記載の洗面化粧台が有する効果に加え、所定の樹脂がポリノボルネン系樹脂であり、ポリノボルネン系樹脂は成形が容易であると同時に成形品の表面に種々のハードコート層を形成することができる。ハードコート層の形成手段としては熱硬化法、紫外線硬化法、真空蒸着法、スパッタリング法などの公知の方法が採用できる。そのため洗面ボウル、ベースキャビネット等各々所望の目的あるいは色に塗装することができる。
【００１５】
請求項５に記載の洗面化粧台は、前記構成であるから、請求項１ないし請求項４のいずれか記載の洗面化粧台が有する効果に加え、一対の金型間のキャビティにノルボルネン系モノマーを注入し、反応射出成形によりポリノボルネン系樹脂とすることができる。したがって成形作業が容易にできる。
【００１６】
請求項６に記載の洗面化粧台は、前記構成であるから、請求項１ないし請求項５のいずれか記載の洗面化粧台が有する効果に加え、洗面ボウル、ベースキャビネット、および配管収納部が各々所望の色に塗装されている。その結果全体を白色系以外の所望の色で統一することもでき意匠性が著しく向上する。
【発明を実施するための最良の形態】
【００１７】
以下、本発明の実施形態について図面を参照して、詳細に説明する。図１ないし図２は本発明に係る洗面化粧台の一実施例を示すものである。図１は本洗面化粧台の全体概要を示す斜視図であり、１は洗面化粧台本体を示すもので、ベースキャビネット２の上部に洗面ボウル６および背板部７、天板８、側面板９よりなる配管収納部１０が一体的に形成されている。
【００１８】
ベースキャビネット２は最下部に蹴込み部３がありその上に箱状の収納部４が形成される。収納部には棚板５が設けられているが、これは必ずしも一体的に形成する必要はなく後付けでもよいものである。ベースキャビネット２は洗面ボウル６と一体形状であるから安定して設置ができる。
【００１９】
ベースキャビネット２の上部には洗面ボウル６が一体的に形成されている。図２の断面図にあるように洗面ボウル６の底部には排水孔６１が、洗面ボウルの後背部の上部にはオーバーフロー孔６２が設けられている。洗面ボウル６の後背部には背板部７が立ち上がっており、背板部７にはカラン取り付け部７１が設けられている。洗面化粧台１のデザインによっては背板部７を設けることなく洗面ボウル６の後背部上面に給水用の立ち上がりカランを設けるようにしてもよいものである。この場合には配管収納部１０は不要になる場合がある。これらベースキャビネット２と洗面ボウル６および背板部７を有する配管収納部１０は所定の樹脂で一体的に形成される。
【００２０】
所定の樹脂としてはポリノルボルネン系樹脂により一体的に形成することが好ましい。ポリノルボルネン系樹脂を用いることでベースキャビネット２や洗面ボウル６あるいは配管収納部１０を形成する背板部７、天板８、側面板９に所望の色あるいは所望の柄を塗装することが可能となる。その結果洗面ボウル６が白色に制約されることがなく、必要に応じてベースキャビネット２や洗面ボウル６あるいは背板部７、天板８、側面板９などを所望の色で統一することができる。あるいはベースキャビネット２と洗面ボウル６および配管収納部１０を形成する背板部７や天板８や側面板９を各々異なる色で塗装することができ、より意匠性を向上させることもできる。たとえば本発明では全体を所望の色に着色した樹脂で一体成形した後に洗面ボウル６部分を別の色で塗装することもできる。このように全体を同じ色で塗装することもできるし、個々の部材を実質的に異なる色で塗装することもできる。
【００２１】
さらに本発明では全体をポリノルボルネン系樹脂により一体的に成形することで耐薬品性などの物性が高くなり化粧品などの汚れが付着し難くなる。ポリノルボルネン系樹脂による一体成形は一対の金型間のキャビティに反応原液としてのノルボルネン系モノマーを注入し反応射出成形によりポリノルボルネン系樹脂からなる洗面化粧台が一体成形される。このように真空成形に限定される従来技術に比べ複雑な形状の成形が可能となる。特に金型からの抜き勾配を適宜に設定することで、ベースキャビネット２や洗面ボウル６および配管収納部１０の背板部７を正面に対して垂直にすることができる。また上述の実施形態では洗面化粧台をポリノルボルネン系樹脂で一体的に形成しているが、これに限定されることなくたとえばプレス成形によりポリノルボルネン系樹脂で一体的に成形することもできる。あるいは他の適当な材料で一体的に形成してもよいものである。
【００２２】
このようにして得られた洗面化粧台はベースキャビネット２、洗面ボウル６、洗面ボウル６の上方に位置する背板部7の裏面に形成される天板8や側面板9で形成される配管収納部１０を利用して配管がなされ据付けられる。すなわち背板部７表面にはカラン取付け部７１があり、洗面ボウル６の接する部分にはオーバーフロー孔６２、および排水孔６１が洗面ボウル６から背板部7を通り配管収納部１０に連通して形成されており、容易に配管でき全体が一体に成形されているために接合等をすることなく配管後据付けするのみで利用可能となる。また配管収納部１０を設けることで配管が外部から見えず良好な意匠性を有する。
【００２３】
以上に説明したように本発明ではベースキャビネット２と洗面ボウル６とを現場で接続する工程を省略することができ、現場での組み立ておよび設置に関する施工性が著しく向上する。また手洗い、洗髪、洗濯を行っても、洗面ボウル６とベースキャビネット２あるいは配管収納部１０を形成する背板部７との間に継ぎ目がなく水垢が付着し、カビ等が発生することがなく手入れが容易となる。
【００２４】
また本発明では洗面ボウル６とベースキャビネット２あるいは配管収納部１０を形成する背板部７、天板８および側面板９が一体的に形成されることにより、洗面ボウル６、ベースキャビネット２あるいは配管収納部１０等も含め洗面化粧台１全体を所望の色で統一することもでき、あるいは部分ごとに異なる所望の色や柄を施すことで意匠性を向上させることができる。
【００２５】
さらにポリノルボルネン系樹脂を用いて一体的に形成することで耐薬品性などの物性が高くなり、化粧品等による付着がなくなる。加えてノルボルネン系樹脂等モノマーを反応射出成形することで真空成形に限定されることなく複雑な成形が可能となる。
【図面の簡単な説明】
【００２６】
【図１】本発明にかかる一実施形態を示す洗面化粧台の構成を示す斜視図。
【図２】上記実施例における断面図。
【符号の説明】
【００２７】
１        洗面化粧台本体
２        ベースキャビネット
３        蹴込み部
４        収納部
５        棚板
６        洗面ボウル
６１      洗面ボウルの排水孔
６２      洗面ボウルのオーバーフロー孔
７        背板部
７１      背板部のカラン取り付け部
７２      排水管取り付け部
８        天板
９        側面板
１０      配管収納部
【図１】
2009011649.tif 000003
【図２】
2009011649.tif 000004